(57)【要約】【課題】接着剤や封止テープ等を用いることなく、より容易にかつ確実に蓋を開放阻止状態に保持することができるとともに、不正開放を容易に視認できる包装用箱を提供する。【解決手段】箱本体２の開口部２６を塞ぐ蓋３と差込舌片４とが、幅方向の両側で折罫部Ｌ３を介して連結され、両折罫部Ｌ３間で、スリットＳによって蓋３が開口部２６を塞いだ状態で蓋３の差込舌片４側の端縁が中間部で開口部２６より外側に延出する延出部３１を形成するように切り離されているとともに、箱本体２内に入り込んだ差込舌片４が添設される背面板２４の端縁に、折罫部Ｌ４を介して折り曲げ自在に連設され、スリットＳ内に離脱防止状態に挿入されて蓋３の開放を阻止する蓋開放阻止舌片５を備えていることを特徴としている。【選択図】      図１
2010052775.tif 000002
【特許請求の範囲】
【請求項１】
折罫部を介して折り曲げ自在に連設された複数の壁面板からなる角筒状をした箱本体と、
折罫部を介して折り曲げ自在に前記複数の壁面板の内の一つの壁面板の端縁に連設され、前記箱本体の両開口部を塞ぐ蓋と、
折罫部を介して折り曲げ自在に前記蓋の端縁に連設され、前記蓋が前記箱本体の開口部を塞いだ状態で、箱本体内に入り込む差込舌片と、
を備える包装用箱であって、
少なくとも一方の開口部を塞ぐ蓋と差込舌片とが、幅方向の両側で折罫部を介して連結され、前記両折罫部間で、スリットによって蓋が開口部を塞いだ状態で前記蓋の差込舌片側の端縁が中間部で開口部より外側に延出する延出部を形成するように切り離されているとともに、
前記箱本体内に入り込んだ差込舌片が添設される壁面板の端縁に、折罫部を介して折り曲げ自在に連設され、前記スリット内に離脱防止状態に挿入されて前記蓋の開放を阻止する蓋開放阻止舌片を備えていることを特徴とする包装用箱。
【請求項２】
薄肉状あるいはミシン目状に設けられた弱め線が、蓋の延出部の両側に、蓋の差込舌片側端縁から、蓋と壁面板とを連結する折罫部まで延びるようにそれぞれ設けられている請求項１に記載の包装用箱。
【発明の詳細な説明】
【技術分野】
【０００１】
本発明は、例えば、食品、化粧品、薬剤などのチューブやビンが収容物として収容される包装用箱に関する。
【背景技術】
【０００２】
チューブやビンに収容された食品、化粧品、薬剤は、一般に使用説明書などとともに、包装用箱にさらに収容されて展示販売されるようになっている。
そして、上記包装用箱として、図１１に示すような包装用箱１００が提案されている（特許文献１参照）。
【０００３】
この包装用箱１００は、図１２に示すように、紙やプラスチックシートが打ち抜かれた１枚の打ち抜きシート１００Ａを組み立てることによって形成され、折罫部１１０を介して折り曲げ自在に連設された背面板２４０、側面板２３０、前面板２２０ 、側面板２３０の４つの板状壁面板からなる４角筒状をした箱本体１０１を備えている。
前面板２２０の両端縁には、箱本体１０１の開口部を塞ぐ蓋１６０が折罫部１１１を介して折り曲げ自在に連設されている。
【０００４】
蓋１６０の端縁には、蓋１６０が箱本体１０１の開口部を塞いだ状態で、箱本体１０１内に入り込む差込舌片１８０が、折罫部１１２を介して折り曲げ自在に連設されている。
差込舌片１８０は、その先端に係止部１８１を備えている。
【０００５】
また、背面板２４０の一方の端縁には、係止板１７０がミシン目部１１３を介して折り曲げ自在に連設され、背面板２４０の他方の端縁には、係止板１７０が折罫部１１４を介して折り曲げ自在に連設されている。
係止板１７０には、それぞれ差込舌片１８０の係止部１８１が挿入係止される係合孔１７１が穿設されている。
【０００６】
側面板２３０，１３０の両端縁には、それぞれサイドフラップ１９０がそれぞれ折罫部１１５を介して折り曲げ自在に連設されている。
【０００７】
そして、この包装用箱１００は、図１１に示すように、係止板１７０をミシン目部１１３あるいは折罫部１１４を介して折り曲げて箱本体１０１内に挿入状態とし、開口部の両サイドフラップ１９０を、開口部を塞ぐように折罫部１１１を介して折り曲げるとともに、差込舌片１８０を折罫部１１２で折り曲げて箱本体１０１内に挿入し、その先端の係止部１８１を係合孔１７１に差し込むことによって、蓋１６０が開口部を塞いだ状態になる。また、一旦係止部１８１が係合孔１７１に入り込むと、係止部１８１が係合孔１７１からはずれ止め状態になるため、包装用箱１００に収容された商品等は、ミシン目部１１３に沿って切り離すか、箱本体１０１あるいは蓋１６０を無理やり破壊しない限り取り出せないようになっている。
【０００８】
したがって、この包装用箱１００は、不正な開封が行われても、直ちに視認でき、異物の混入や収容物の盗難をすぐに発見できる。
しかも、差込舌片１８０を接着剤や融着によって箱本体１０１に固着したり、蓋から箱本体にかけて封止テープによって覆うなどの手間がなく、収容物の箱詰め作業が簡素化できるという利点がある。
【０００９】
しかしながら、上記包装用箱１００の場合、係止板１７０が箱本体１０１内に挿入されているので、収容物が箱本体１０１内に挿入しにくく、また、箱本体１０１が不透明であると、係止部１８１が係合孔１７１に確実に挿入されたか否かを視認できないとともに、係止板１７０の角度によってはうまく係合できない場合がある。
【００１０】
【特許文献１】特開平１1−１０５８５２号公報
【発明の開示】
【発明が解決しようとする課題】
【００１１】
本発明は、上記事情に鑑みて、接着剤や封止テープ等を用いることなく、より容易にかつ確実に蓋を開放阻止状態に保持することができるとともに、不正開放を容易に視認できる包装用箱を提供することを目的としている。
【課題を解決するための手段】
【００１２】
上記目的を達成するために、本発明にかかる包装用箱は、折罫部を介して折り曲げ自在に連設された複数の壁面板からなる角筒状をした箱本体と、折罫部を介して折り曲げ自在に前記複数の壁面板の内の一つの壁面板の端縁に連設され、前記箱本体の両開口部を塞ぐ蓋と、折罫部を介して折り曲げ自在に前記蓋の端縁に連設され、前記蓋が前記箱本体の開口部を塞いだ状態で、箱本体内に入り込む差込舌片と、を備える包装用箱であって、
少なくとも一方の開口部を塞ぐ蓋と差込舌片とが、幅方向の両側で折罫部を介して連結され、前記両折罫部間で、スリットによって蓋が開口部を塞いだ状態で前記蓋の差込舌片側の端縁が中間部で開口部より外側に延出する延出部を形成するように切り離されているとともに、前記箱本体内に入り込んだ差込舌片が添設される壁面板の端縁に、折罫部を介して折り曲げ自在に連設され、前記スリット内に離脱防止状態に挿入されて前記蓋の開放を阻止する蓋開放阻止舌片を備えていることを特徴としている。
【００１３】
また、本発明の包装用箱は、薄肉状あるいはミシン目状に設けられた弱め線が、蓋の延出部の両側に、蓋の差込舌片側端縁から、蓋と壁面板とを連結する折罫部まで延びるようにそれぞれ設けられていることが好ましい。
【００１４】
本発明の包装用箱の材質は、特に限定されないが、ポリプロピレンやポリエチレンフタレートなどのプラスチックや紙、これらの複合材料が挙げられる。また、透明材料であっても不透明材料であっても構わないし、表面に必要に応じて印刷されていても構わない。
【発明の効果】
【００１５】
以上のように、本発明にかかる包装用箱は、以上のように、折罫部を介して折り曲げ自在に連設された複数の壁面板からなる角筒状をした箱本体と、折罫部を介して折り曲げ自在に前記複数の壁面板の内の一つの壁面板の端縁に連設され、前記箱本体の両開口部を塞ぐ蓋と、折罫部を介して折り曲げ自在に前記蓋の端縁に連設され、前記蓋が前記箱本体の開口部を塞いだ状態で、箱本体内に入り込む差込舌片と、を備える包装用箱であって、
少なくとも一方の開口部を塞ぐ蓋と差込舌片とが、幅方向の両側で折罫部を介して連結され、前記両折罫部間で、スリットによって蓋が開口部を塞いだ状態で前記蓋の差込舌片側の端縁が中間部で開口部より外側に延出する延出部を形成するように切り離されているとともに、前記箱本体内に入り込んだ差込舌片が添設される壁面板の端縁に、折罫部を介して折り曲げ自在に連設され、前記スリット内に離脱防止状態に挿入されて前記蓋の開放を阻止する蓋開放阻止舌片を備えているので、蓋の延出部に蓋開放阻止舌片の先端を係止させた状態で、蓋を箱本体の開口部を塞ぐように押さえていくと、蓋開放阻止舌片が湾曲しながら、スリット内にスムーズに入り込み、蓋が蓋開放阻止舌片によって開放阻止状態に保持される。従って、箱の一部を破損状態にしなければ、内容物を取り出すことができなくなる。すなわち、不正開封があった場合も箱の一部が破損しているので、不正開封が容易に視認できる。
【００１６】
しかも、蓋開放阻止舌片がスリットに入り込んでいく様子は、外部から視認できるため、
確実に開封阻止状態にすることができる。
【００１７】
また、薄肉状あるいはミシン目状に設けられた弱め線が、蓋の延出部の両側に、蓋の差込舌片側端縁から、蓋と壁面板とを連結する折罫部まで延びるようにそれぞれ設けられている構成とすれば、延出部に指を掛けて蓋開放方向に引き上げれば、蓋の一部が両弱め線に沿って残部から切断されて、蓋開放阻止舌片による開放阻止状態が解除され、容易に内容物が取り出せる。勿論、同様の方法で不正開放した場合、蓋の一部が切断されているので、不正に開放したことが容易に視認できる。
【発明を実施するための最良の形態】
【００１８】
以下に、本発明を、その実施の形態をあらわす図面を参照しつつ詳しく説明する。
図１〜図８は、本発明にかかる包装用箱の第１の実施の形態をあらわしている。
【００１９】
図１及び図２に示すように、この包装用箱１は、箱本体２と、２つの蓋３と、２つの差込舌片４と、２つの蓋開放阻止舌片５と、４つのサイドフラップ６とを備え、ポリプロピレンやポリエチレンテレフタレートなどの透明プラスチックシートを打ち抜いて形成した図３に示すような打ち抜きシート１ａを組み立てることによって得られる。
すなわち、打ち抜きシート１ａが、側面板２１と、前面板２２と、側面板２３と、背面板２４と、糊代部２５とが折罫部Ｌ１を介して折り曲げ自在に連設されていて、包装用箱１が背面板２４と、糊代部１５との間の折罫部Ｌ１が側面板２１の開放端に略一致するように糊代部１５を側面板２１の外壁面に両面粘着テープで貼り合わせることによって得られる。
【００２０】
そして、箱本体２は、側面板２１と、前面板２２と、側面板２３と、背面板２４とからなる４つの壁面を備え、折罫部Ｌ１で折り曲げ自在に連設され、図２に示すように、前面板２２と背面板２４とが密着状態になった折り畳み状態と、図１に示すように、両端に開口部２６を有する横断面長方形の四角筒形状とを選択自在になっている。
【００２１】
蓋３は、折罫部Ｌ２を介して前面板２２の両端縁にそれぞれ折り曲げ自在に連設されていて、開口部２６の開状態と、閉状態とを選択可能になっているとともに、開口部２６を閉鎖状態となるようにした状態で、背面板２４側の端縁が中央部に背面板２４より例えば０．５〜２．５ｍｍ程度外側に延出する延出部３１を備えている。
延出部３１は、先端部両コーナーがＲ形状に面取りされていて、先端が基端側より幅が狭くなっている。
また、蓋３は、他の部分より切断しやすいように、薄肉状あるいはミシン目状に設けられた２本の弱め線３２が、蓋３の延出部３１の基端部両側から、蓋３と前面板２２とを連結する折罫部Ｌ２まで延びるように延出部３１の基端部の幅を保ちながら平行に設けられている。
【００２２】
差込舌片４は、蓋３の前面板２２と逆側の端縁、すなわち、蓋３が開口部２６を覆った状態で背面板２４側となる端縁の両側部で、折罫部Ｌ３，Ｌ３を介して折り曲げ自在に連設されている。
差込舌片４と、蓋３とは、折罫部Ｌ３と折罫部Ｌ３との間が延出部３１の外縁に沿った形状のスリットＳによって切り離されている。すなわち、スリットＳは、両側にＲ形状のコーナー部を備えている。
そして、差込舌片４を蓋３に直交するように折れ曲げると、スリットＳ部分で切り離されて延出部３１の下側部分に後述する蓋開放阻止舌片５の挿入隙間が形成されるようになっている。
【００２３】
蓋開放阻止舌片５は、その幅がスリットＳのＲ状のコーナー部を除く直線状部分の幅より少し狭い基端部５１と、基端部５１側の端部がコーナー部と直線状部分とを含めたスリットＳの全幅と同じ幅で、先端に向かって徐々にその幅が狭くなり、先端でスリットＳのＲ状のコーナー部を除く直線状部分の幅より狭くなった舌片本体部５２とを備え、基端部５１が背面板２４の端縁中央に設けられた凹設部２４ａに折罫部Ｌ４を介して折り曲げ自在に背面板２４に連設されている。
【００２４】
サイドフラップ６は、２つの側面板２１，２３の両端縁にそれぞれ折罫部Ｌ５を介して折り曲げ自在に連設されている。
また、サイドフラップ６は、開口部２６を塞ぐように折罫部Ｌ５で折り曲げられたとき、その先端が、他方の側面板２１（２３）に連設されたサイドフラップ６の先端と少し隙間が生じる長さに形成されている。
【００２５】
この包装用箱１は、上記のようになっており、以下のようにして収容物を内部に収容することができる。
すなわち、まず、サイドフラップ６を側面板２１，２３に略直交するように折罫部Ｌ５に沿って折り曲げて２つのサイドフラップ６によって一方の開口部２６を塞ぐようにした状態で、蓋３を差込舌片４の先端がサイドフラップ６と背面板２４との隙間に臨むように配置するとともに、蓋開放阻止舌片５の先端が延出部３１の下面に当接するように配置し、この状態を保ちながら、蓋３を開口部２６を塞ぐ方向に押し下げていくと、図４に示すように、蓋開放阻止舌片５が湾曲（図４では誇張して描いている）するとともに、背面板２４の中央部が外側に向かって湾曲しながら延出部３１がスリットＳによって形成される挿入隙間から蓋３裏面に沿うように入り込んでいく。挿入隙間は、蓋３の裏面側が蓋開放阻止舌片５の舌片本体５２の基端部５１側と同幅であるので、蓋開放阻止舌片５が蓋５の裏面に沿っていれば、挿入がスムーズに行われる。
【００２６】
そして、基端部５１まで入り込むと、すなわち、差込舌片４が完全に箱本体２内に入り込むとともに、蓋３が箱本体２の開口部２６を完全に塞いだ状態になると、挿入隙間は、スリットＳのコーナー部先端間以外が蓋開放阻止舌片５の舌片本体５２の基端部５１側の幅より狭くなっているので、舌片本体５２の基端部５１側の両端縁が挿入隙間の周縁にそれぞれ係止され、蓋開放阻止舌片５の離脱が防止される。
つぎに、上記のように一方の開口部２６を蓋３で塞いだのち、収容物である化粧品等のチューブＴを箱本体２の他方の開口部２６から箱本体２内に収容したのち、図５及び図６に示すように、他方の開口部２６を上記と同様にして蓋３で閉じるようにする。
【００２７】
一方、収容されたチューブＴを取り出すには、図７に示すように、一方の蓋３の延出部３１に指を掛けて上方に延出部３１を引き上げる。この引き上げによって、図８に示すように、蓋３の中央部３３が弱め線３２の部分で他の部分から切り離されて引き起こされる。
この中央部３３の引き起こしによって、蓋開放阻止舌片５による係止が解除され、蓋３の他の部分が容易に開放できる。
【００２８】
この包装用箱１は、以上のように、蓋開放阻止舌片５がワンタッチでスリットＳによって形成された挿入隙間から蓋３の裏面側に挿入され、離脱防止状態にされて、蓋３の開放が阻止されるので、差込舌片４を箱本体２に接着したり、封止シールを貼る工程が不要になり、収容物の箱詰め作業が簡略化できる。
【００２９】
また、箱本体２の入口側の内壁面には、障害となるものが何も無いので、収容物を箱本体２内にスムーズに収容できる。
さらに、蓋３に弱め線３２を設けたので、蓋３を無理やり開けようとしたとき、この弱め線３２によって蓋３が切断されるため、不正開放したことが容易に視認できる。しかも、収容物の取り出しも簡単に行える。
【００３０】
図９は、本発明にかかる包装用箱の第２の実施の形態を製作するための打ち抜きシートをあらわしている。
図９に示すように、この打ち抜きシート１ｂは、蓋開放阻止舌片５ａがその中間部に折罫部Ｌ６を折罫部Ｌ４に平行に設けた以外は、上記打ち抜きシート１ａと同様になっている。
【００３１】
そして、この打ち抜きシート１ｂを上記打ち抜きシート１ａと同様にして組み立てることによって得られる本実施の形態の包装用箱は、蓋開放阻止舌片５ａが折罫部Ｌ６を備えているので、打ち抜きシート１ｂが厚肉で湾曲しにくい材料で形成されていても、蓋３の裏面に沿ってスムーズに挿入隙間内に蓋開放阻止舌片５ａを挿入することができる。
なお、図９中、第１の実施の形態と同じものは同じ番号を付している。
【００３２】
図１０は、本発明にかかる包装用箱の第３の実施の形態を製作するための打ち抜きシートをあらわしている。
図１０に示すように、この打ち抜きシート１ｃは、スリットＳ１が、長孔状の幅広部ＳＷを備えている以外は、上記打ち抜きシート１ａと同様になっている。
【００３３】
そして、この打ち抜きシート１ｃを上記打ち抜きシート１ａと同様にして組み立てることによって得られる本実施の形態の包装用箱は、スリットＳ１が、長孔状の幅広部ＳＷを備えているので、図示していないが、挿入隙間の幅の狭い部分が幅広部ＳＷによって大きく確保され、蓋開放阻止舌片５の係止を強固なものにすることができる。
なお、図１０中、第１の実施の形態と同じものは同じ番号を付している。
【００３４】
なお、本発明は、上記の実施の形態に限定されるものではない。例えば、上記の実施の形態では、糊代板が側面板の外壁面に両面粘着テープで固着されていたが、接着剤でも構わないし、熱融着でも構わない。また、糊代板を側面板の内壁面に固着するようにしても構わない。
上記の実施の形態では、弱め線が両方の蓋に設けられていたが、片側でも構わない。
【００３５】
上記の実施の形態では、箱本体が横断面長方形であったが、正方形や台形でも構わないし、五角形や六角形でも構わない。
上記の実施の形態では、サイドフラップが箱本体の開口部を塞ぐように折罫部で折り曲げられたとき、その先端が、他方の側面板に連設されたサイドフラップ６先端と少し隙間が生じる長さに形成されていたが、両サイドフラップが重なるようにしても構わない。
【００３６】
上記の実施の形態では、収容物がチューブであったが、ビンでも構わない。
【図面の簡単な説明】
【００３７】
【図１】本発明にかかる包装用箱の収容物を収容する前の斜視図である。
【図２】図１の包装用箱の折り畳んだ状態の平面図である。
【図３】図１の包装用箱を製作するための打ち抜きシートの平面図である。
【図４】図１の包装用箱の蓋を閉じる方法を説明する断面図である。
【図５】図１の包装用箱に収容物であるチューブを収容した状態の斜視図である。
【図６】図５の断面図である。
【図７】図１の包装用箱からチューブを取り出すにあたり、蓋の延出部に指を掛けた状態を説明する斜視図である。
【図８】図１の包装用箱からチューブを取り出すにあたり、蓋の中央部を弱め線で切断して引き上げた状態を説明する斜視図である。
【図９】本発明にかかる包装用箱の第２の実施の形態を製作するための打ち抜きシートの平面図である。
【図１０】本発明にかかる包装用箱の第３の実施の形態を製作するための打ち抜きシートの平面図である。
【図１１】公知の包装用箱の要部断面図である。
【図１２】図１１の包装用箱を製作するための打ち抜きシートの平面図である。
【符号の説明】
【００３８】
１  包装用箱
１ａ，１ｂ，１ｃ  打ち抜きシート
２  箱本体
２１，２３  側面板（壁面板）
２２  前面板（壁面板）
２４  背面板（壁面板）
２６  開口部
３  蓋
３１ 延出部
３２ 弱め線
４  差込舌片
５ 蓋開放阻止舌片
５１  基端部
５２  舌片本体
Ｌ１〜Ｌ６  折罫部
Ｓ，Ｓ１ スリット
ＳＷ  幅広部
【図１】
2010052775.tif 000003
【図２】
2010052775.tif 000004
【図３】
2010052775.tif 000005
【図４】
2010052775.tif 000006
【図５】
2010052775.tif 000007
【図６】
2010052775.tif 000008
【図７】
2010052775.tif 000009
【図８】
2010052775.tif 000010
【図９】
2010052775.tif 000011
【図１０】
2010052775.tif 000012
【図１１】
2010052775.tif 000013
【図１２】
2010052775.tif 000014